(57)【要約】      （修正有）【課題】既設のスレート屋根材に隙間なく重ねられ、新規の金属屋根材の変形と雨音の発生を防止し、既設屋根材のデザインに違和感のない既設屋根材の葺設用金属屋根材及びそれを用いた葺替工法を提供する。【解決手段】既設のスレート屋根材２の上面に葺設される金属屋根材１であって、既設屋根材２の上面の波形と同じ寸法形状に本体部が形成され、該本体部の前端部に垂下片１１が形成され、後端部に立上片１２が形成されている。また、下段側金属屋根材１の前端部の垂下片１１を下段側既設屋根材２の軒側端縁２１に係止し、後端部の立上片１２を上段側既設屋根材２の軒側端縁２１に当接して、下段側金属屋根材１を下段側既設屋根材２とともに固定具３を介して固着し、続いて、上段側既設屋根材２の軒側端縁２１に当接している下段側金属屋根材１の立上片１２を上段側金属屋根材１の垂下片１２で係止し上段側既設屋根材２とともに固定具３を介して固着する。【選択図】図６
2005139888.tif 000002
【特許請求の範囲】
【請求項１】
既設のスレート屋根材の上面に葺設される金属屋根材であって、スレート屋根材の上面の波形と同じ寸法形状で本体部が波形に形成され、該本体部の前端部にスレート屋根材の肉厚に略等しい垂下片が形成され、後端部にスレート屋根材の肉厚に略等しい立上片が形成されていることを特徴とするスレート屋根材の葺替用金属屋根材。
【請求項２】
垂下片と立上片とは重ね部で、重ね寸法と同一寸法で切り欠きされていることを特徴とするスレート屋根材の葺替用金属屋根材。
【請求項３】
請求項１または２記載の葺替用金属屋根材を用いて既設のスレート屋根材の上面を軒側から屋根の頂上に向かって覆い葺設するスレート屋根材の葺替工法であって、下段側金属屋根材の前端部の垂下片を下段側スレート屋根材の軒側端縁に係止し、後端部の立上片を上段側スレート屋根材の軒側端縁に当接して、下段側金属屋根材を下段側スレート屋根材とともに固定具を介して固着し、続いて、上段側スレート屋根材の軒側端縁に当接している下段側金属屋根材の立上片を上段側金属屋根材の垂下片で係止し上段側スレート屋根材とともに固定具を介して固着することを特徴とするスレート屋根材の葺替工法。
【発明の詳細な説明】
【技術分野】
【０００１】
本発明は、スレート屋根材を取り外さずにこの上に金属屋根材を葺設するスレート屋根材の葺替用金属屋根材及びそれを用いたスレート屋根材の葺替工法に関する。
【背景技術】
【０００２】
従来から、古くなったり、痛んだりしたスレート屋根材を補修する場合、古くなったスレート屋根材を屋根から剥がし、新たに新規のスレート屋根材を施工していた。
【０００３】
ところが、上記従来の方法では、一旦既設のスレート屋根材を剥がし、再び新規屋根材と交換するのに、その施工に要する期間が長期間になるだけではなく、葺替工事期間中は剥がされた屋根には屋根材がないために、風雨を防ぐ養生が必要であった。また、剥がしたスレート屋根材は不燃性であり、大量に発生するとその処理が大がかりとなり葺替工事のコストが増加し、加えて、環境に悪影響を及ぼすという問題があった。
【０００４】
そこで、スレート屋根材を取り外すことなく、このスレート屋根材の上に金属製の屋根材を重ねて葺設する方法が提案されている。（例えば、特許文献１参照。）。
【特許文献１】特開平６−１６７０７５号公報（図１および図２）
【発明の開示】
【発明が解決しようとする課題】
【０００５】
しかしながら、上記特許文献１に記載されたような構造では、図１３に示すように、既設のスレート屋根材２ａと金属屋根材１ａとの間に空隙ｂ、ｃが形成されているため、歩行時の外力で凹んだり、また雨天時における雨音が大きく隣接する居住者の談話を妨げたりすることばかりでなく、棟やケラバ部等の役物とのデザインの統一性が図れなくなるということがある。
【０００６】
本発明は、このような事情に鑑みて、既設のスレート屋根材との間に隙間なく重ねることができ、新規の金属屋根材の変形と耳障りな雨音の発生を防止し、スレート屋根材の役物とのデザインに違和感のないスレート屋根材の葺設用金属屋根材及びそれを用いたスレート屋根材の葺替工法を提供することを目的としている。
【課題を解決するための手段】
【０００７】
このような目的を達成するために、請求項１に記載の発明に係わるスレート屋根材の葺替用金属屋根材（以下、「請求項１のスレート屋根材の葺替用金属屋根材」と記す）は、既設のスレート屋根材の上面に葺設される金属屋根材であって、スレート屋根材の上面の波形と同じ寸法形状で本体部が波形に形成され、該本体部の前端部にスレート屋根材の肉厚に略等しい垂下片が形成され、後端部にスレート屋根材の肉厚に略等しい立上片が形成されていることを特徴とした。
【０００８】
請求項２に記載の発明に係わるスレート屋根材の葺替用金属屋根材（以下、「請求項２のスレート屋根材の葺替用金属屋根材」と記す）は、請求項１のスレート屋根材の葺替用金属屋根材において、垂下片と立上片とは重ね部で、重ね寸法と同一寸法で切り欠きされていることを特徴とした。
【０００９】
また、請求項３に記載の発明に係わるスレート屋根材の葺替工法（以下、「請求項３のスレート屋根材の葺替工法」と記す）は、請求項１または２記載の葺替用金属屋根材を用いて既設のスレート屋根材の上面を軒側から屋根の頂上に向かって覆い葺設するスレート屋根材の葺替工法であって、下段側金属屋根材の前端部の垂下片を下段側スレート屋根材の軒側端縁に係止し、後端部の立上片を上段側スレート屋根材の軒側端縁に当接して、下段側金属屋根材を下段側スレート屋根材とともに固定具を介して固着し、続いて、上段側スレート屋根材の軒側端縁に当接している下段側金属屋根材の立上片を上段側金属屋根材の垂下片で係止し上段側スレート屋根材とともに固定具を介して固着することを特徴とした。
【００１０】
本発明において、葺替用金属屋根材の材質は成形加工性、切断性を損なわないものであれは特に限定されない。一般にガルバリユウム鋼板、塩ビ鋼板、ステンレス鋼板、アルミ鋼板などが広く用いられる。
また、下垂片と立上片の寸法は特に限定されないが、防水性を高めるために５ｍｍ以上の折り返し高さであればよく、下垂片と立上片は概ね同一の折り返し高さ寸法でもよいが、下垂片が立上片よりも大きい折り返し高さの寸法であっても構わない。
【発明の効果】
【００１１】
請求項１のスレート屋根材の葺替用金属屋根材によれば、既設スレート屋根材に隙間なく重ねて施工することができるので、葺設した金属屋根材の上を歩いても、凹むことがなく、しかも、降雨時に耳障りの雨音の発生がない。また、葺き替えられたスレート屋根は、既設の棟瓦等の役物と違和感がなく外観上が見栄えよく仕上げられる。
【００１２】
請求項２のスレート屋根材の葺替用金属屋根材によれば、請求項１と同様の効果に加えて、前端部の垂下片と後端部の立上片は重ね部分において重なることがないから左右方向に施工して行っても、前方に徐々に段違いにはみ出すことがなく、前端部の並びが直線状に仕上がり見栄えがよい。
【００１３】
請求項３のスレート屋根材の葺替工法によれば、請求項２と同様の効果に加えて、下段側金属屋根材の立上片を上段側金属屋根材の垂下片で係止することにより、軒先端縁側からの雨水の浸入を防ぐことができる防水効果がある。
【発明を実施するための最良の形態】
【００１４】
次に、本発明の実施の形態の一例を、図１〜図１２に基づいて説明する。  
【実施例１】
【００１５】
図１〜図７は、本発明スレート屋根材の葺替用金属屋根材とそれを用いた葺替工法の実施の形態における一例を説明する図である。
図において、図１は本発明のスレート屋根材の葺替用金属屋根材を示す斜視図、図２は同じく葺替用金属屋根材の平面図、図３は同じく葺替用金属屋根材の正面図、図４は図１におけるＡ−Ａ線断面図、図５は本発明の葺替用金属屋根材を使用した葺替構造を示す縦断面図、図６は図５におけるＢ部の拡大断面図、図７は図５におけるＣ−Ｃ線断面図、図８は本発明スレート屋根材の葺替工法の手順を説明する断面図、図９は金属屋根材を横方向に並べて葺設する状態を示す平面図で、図１０は図９における重ね部のＤ部の拡大平面図、図１１は同じくＤ部の斜視図、図１２はＤ部を分解して示す斜視図である。
【００１６】
本発明のスレート屋根材の葺替用金属屋根材１は、図に示すように、既設のスレート屋根材２の上面にカバー状に覆い葺設されるものであって、スレート屋根材２の上面の波形と同じ寸法形状の波形に本体部１０が形成され、この本体部１０の前端部にスレート屋根材２の肉厚ｔと略等しい寸法の垂下片１１が形成され、後端部にスレート屋根材の肉厚に略等しい寸法の立上片１２が形成されている。
【００１７】
この葺替用金属屋根材１は、その板厚や材質は成形加工性や切断性を損なうものでなければ特に限定されないが、本実施例では厚み０．３ｍｍのガルバリユウム鋼板を波形状に折曲して本体部１０を形成し、その前端部と後端部にそれぞれ８ｍｍの折り返し加工を施して垂下片１１と立上片１２を形成しており、また、流れ方向の長さＬは既設スレート屋根材の流れ方向の重ね部分を除いた露出部分と同じ寸法に設定されている。
【００１８】
また、本体部１０の右端部が被重ね部１３とされおり、左端部が重ね部１４とされている。前記被重ね部１３における前端部の垂下片１１が切り欠かれて切欠部１５が形成されるとともに、左端部の重ね部１４における後端部の立上片１２が切り欠かれて切欠部１６が形成されている。
【００１９】
このような葺替用金属屋根材を用いて既設スレート屋根を葺き替える手順について、図４〜図１２に基づいて説明する。
【００２０】
先ず最初に、既設のスレート屋根材２の上面を覆い隠すようにして葺替用金属屋根材を載置する。次に、金属屋根材１の前端部の垂下片１１を下段側スレート屋根材２の軒側端縁２１に係止し後端部の立上片１２を上段側スレート屋根材２の軒樋端縁２１に当接して、固定具３を介して金属屋根材１とともに下段側スレート屋根材２を野地板等の屋根下地４に固着する。この作業を横方向に隣接する下段側スレート屋根材１の上にも順次行う。なお、符号５は屋根下地４の軒先に固定される軒瓦であり、この軒瓦５に最下段のスレート屋根材２の軒側端縁が載置されるようになっている。
【００２１】
下段側スレート屋根材２への金属屋根材１の葺設が終了してから、上段側スレート屋根材２の軒側端縁２１に当接している下段側金属屋根材１の立上片１２を上段側金属屋根材１の垂下片１１で係止した状態で上段側スレート屋根材１の上面に載置固定する。この作業を順次横方向及び流れ方向に逆らって頂上へと行う。
【００２２】
図９〜１２に示すように、左手側の金属屋根材１の被重ね部１３に、右手側の金属屋根材１の重ね部１４が重ねられ、左手側の金属屋根材１の切欠部１５に、右手側の金属屋根材１の垂下片１１の左端部が嵌まり込んでいる。
従って、前端部の垂下片１１と後端部の立上片１２は重ね部分において重なることがないから横向に施工して行っても、前方に徐々に段違いにはみ出すことがなく、前端部の並びが直線状に仕上がる。
【００２３】
上述のように、葺替用金属屋根材１でスレート屋根材２を覆い隠すことにより葺き替えられたスレート屋根は、既設の棟瓦等の役物と違和感がなく外観上が見栄えよく葺設された構造のものが得られる。葺設した金属屋根材の上を歩いても、凹むことがない。
〔比較例１〕
【００２４】
従来の方法で用いられる金属屋根材を使用して実施例１と同じ既設のスレート屋根材の上に重ね葺き施工した。この金属屋根材は、鋼板厚みが実施例１と同等の０．３ｍｍであるが、その形状は、図１３に示すように既設スレート屋根材２ａと略同一のピッチの台形状の山部が形成されてたものである。金属屋根材１ａの山部は１山おきに支持ボルト３ａを使用して屋根下地に固定されているが、スレート屋根材２ａの傾斜部のみで支持される構成であるため、施工中に歩行により金属屋根材１ａの山部や山谷に凹みが生じた。
〔比較例２〕
【００２５】
比較例１で用いた金属屋根材の鋼板厚みを０．８ｍｍとした以外は比較例１と同じである。この場合は、施工中に歩行により金属屋根材の山谷に凹みは生じなかった。
【００２６】
なお、上記実施例１及び比較例１、２の方法で得られた葺替構造の屋根について、図１４に示すような評価装置で降雨時の騒音レベルを測定し発音性の評価を行った。
発音性の評価方法としては、施工した屋根材ｆの鉛直上方２ｍの位置に散水装置ｄを設置して、この散水装置ｄから散水して降雨量１００ｍｍ／時間相当の降雨を人工的に再現し、前方２ｍの位置で騒音計ｅにて騒音レベル（音圧：単位ｄＢ）を計測する方法を採用した。その結果は表１の通りで、比較例１、２ではいずれも耳障りな音を発したが、実施例１の場合は既設スレート屋根材単独の場合とほぼ同等の騒音レベルであった。
【００２７】
【表１】
2005139888.tif 000003
【００２８】
以上、本発明の実施の形態を図面により詳述してきたが、具体的な形態はこの実施の形態に限られものではなく、本発明の要旨を逸脱しない範囲における設計の変更等があっても本発明に含まれる。
例えば、上記実施の形態では、四辺で互いに向き合った角隅に切欠部１５、１６を形成したが、右端部の被重ね部１３における前後端部の垂下片１１と立上片１２にそれぞれ切欠部を形成してもよい。
【図面の簡単な説明】
【００２９】
【図１】本発明のスレート屋根材の葺替用金属屋根材を示す斜視図である。
【図２】同上葺替用金属屋根材の平面図である。
【図３】同上葺替用金属屋根材の正面図である。
【図４】図１におけるＡ−Ａ線断面図である。
【図５】本発明の葺替用金属屋根材を使用した葺替構造を示す縦断面図である。
【図６】図４におけるＢ部の拡大断面図である。
【図７】図４におけるＣ−Ｃ線断面図である。
【図８】本発明スレート屋根材の葺替工法の手順を説明する断面図である。
【図９】本発明の葺替用金属屋根材をを横方向に並べて葺設する状態を示す平面図である。
【図１０】図９におけるＤ部の拡大図である。
【図１１】同じくＤ部の斜視図である。
【図１２】Ｄ部を分解して示す斜視図である。
【図１３】従来例のスレート屋根材の葺替構造を示す横断面図である。
【図１４】屋根材の発音性評価の測定方法を説明する概略図である。
【符号の説明】
【００３０】
１              金属屋根材
１０            本体部
１１            垂下片
１２            立上片
１３            被重ね部
１４            重ね部
１５、１６      切欠部
２              スレート屋根材
２１            軒側端縁
３              固定具
【図１】
2005139888.tif 000004
【図２】
2005139888.tif 000005
【図３】
2005139888.tif 000006
【図４】
2005139888.tif 000007
【図５】
2005139888.tif 000008
【図６】
2005139888.tif 000009
【図７】
2005139888.tif 000010
【図８】
2005139888.tif 000011
【図９】
2005139888.tif 000012
【図１０】
2005139888.tif 000013
【図１１】
2005139888.tif 000014
【図１２】
2005139888.tif 000015
【図１３】
2005139888.tif 000016
【図１４】
2005139888.tif 000017